【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
チャネルの複数のリソースブロックに関連付けられたチャネルラスタを識別することと、前記複数のリソースブロックは、前記チャネルラスタに対して非対称関係を有し、ここにおいて、前記非対称関係は、前記チャネルラスタが前記チャネルの中央からオフセットされることを示す、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成することと、
前記リソースブロックオフセットメトリックの前記インジケーションを伝達するために、前記メッセージを送信することと
を備える、方法。
【請求項２】
前記チャネルは、アップリンクチャネル、ダウンリンクチャネル、またはそれらの組み合わせのうちの少なくとも１つに関連付けられ、
前記メッセージは、ブロードキャストメッセージ、ユーザ機器（ＵＥ）固有メッセージ、またはそれらの組み合わせのうちの少なくとも１つを備える、
請求項１に記載の方法。
【請求項３】
前記第１のリソースブロックと前記チャネルラスタとの間のオフセット距離を、前記非対称関係に少なくとも部分的に基づいて識別すること、ここにおいて、前記ロケーション情報は、前記オフセット距離を備える、
をさらに備え、
前記オフセット距離は、周波数オフセットまたはリソースブロックカウントオフセットのうちの少なくとも１つを備える、
請求項１に記載の方法。
【請求項４】
前記第１のリソースブロックに関連付けられた周波数を、前記非対称関係に少なくとも部分的に基づいて識別することと、ここにおいて、前記ロケーション情報は、前記周波数を備える、
前記複数のリソースブロックに関連付けられたリソースブロックカウントを、前記非対称関係に少なくとも部分的に基づいて識別することと、ここにおいて、前記ロケーション情報は、前記リソースブロックカウントを備える、
をさらに備える、請求項１に記載の方法。
【請求項５】
特定のチャネルにアクセスする際にユーザ機器（ＵＥ）能力を識別することと、
前記ＵＥ能力に少なくとも部分的に基づいて、前記チャネルラスタを識別することと
をさらに備える、請求項１に記載の方法。
【請求項６】
前記リソースブロックオフセットメトリックの前記インジケーションを伝達するために、シグナリングスキームを前記ＵＥ能力に少なくとも部分的に基づいて選択すること
をさらに備える、請求項５に記載の方法。
【請求項７】
前記複数のリソースブロック中の１つまたは複数の未使用のリソースブロックを識別することと、
前記１つまたは複数の未使用のリソースブロックに関連付けられたロケーションパラメータを示すように、前記メッセージを前記１つまたは複数の未使用のリソースブロックに少なくとも部分的に基づいて構成することと
をさらに備える、請求項１に記載の方法。
【請求項８】
前記ロケーションパラメータは、連続するリソースブロックに関連付けられたリソースブロックカウントおよび前記第１のリソースブロック、前記１つまたは複数の未使用のリソースブロックに関連付けられた識別子、またはそれらの組み合わせのうちの少なくとも１つを備える、
請求項７に記載の方法。
【請求項９】
前記１つまたは複数の未使用のリソースブロックの各々は、所定の数の割り振られていないリソース要素を有するリソースブロックを備える、
請求項７に記載の方法。
【請求項１０】
帯域の第１のチャネルと第２のチャネルとの間の同期ラスタオフセットを識別することと、前記第１のチャネルおよび前記第２のチャネルは、共通リソースブロックグリッドを共有する、
前記同期ラスタオフセット間にある前記共通リソースブロックグリッドの各リソースブロックエントリ上で同期信号を送信することと
をさらに備える、請求項１に記載の方法。
【請求項１１】
前記同期ラスタオフセットは、９００ＫＨｚラスタオフセットを備え、および各リソースブロックエントリは、１００ＫＨｚ刻みでロケートされる、
請求項１０に記載の方法。
【請求項１２】
帯域の第１のチャネルと第２のチャネルとの間の同期ラスタオフセットを識別することと、前記第１のチャネルおよび前記第２のチャネルは、共通リソースブロックグリッドを共有する、
前記共通リソースブロックグリッド上にある２つのエントリ間にある各チャネルラスタエントリ上で同期信号を送信することと
をさらに備える、請求項１に記載の方法。
【請求項１３】
ワイヤレス通信のための方法であって、
リソースブロックオフセットメトリックのインジケーションを備えるメッセージを受信することと、
チャネルの複数のリソースブロックに関連付けられたチャネルラスタを、前記リソースブロックオフセットメトリックに少なくとも部分的に基づいて識別することと、前記複数のリソースブロックは、前記チャネルラスタに対して非対称関係を有し、ここにおいて、前記非対称関係は、前記チャネルラスタが前記チャネルの中央からオフセットされることを示す、
を備える、方法。
【請求項１４】
ワイヤレス通信のための装置であって、
チャネルの複数のリソースブロックに関連付けられたチャネルラスタを識別するための手段と、前記複数のリソースブロックは、前記チャネルラスタに対して非対称関係を有し、ここにおいて、前記非対称関係は、前記チャネルラスタが前記チャネルの中央からオフセットされることを示す、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成するための手段と、
前記リソースブロックオフセットメトリックの前記インジケーションを伝達するために、前記メッセージを送信するための手段と
を備える、装置。
【請求項１５】
ワイヤレス通信のための装置であって、
リソースブロックオフセットメトリックのインジケーションを備えるメッセージを受信するための手段と、
チャネルの複数のリソースブロックに関連付けられたチャネルラスタを、前記リソースブロックオフセットメトリックに少なくとも部分的に基づいて識別するための手段と、前記複数のリソースブロックは、前記チャネルラスタに対して非対称関係を有し、ここにおいて、前記非対称関係は、前記チャネルラスタが前記チャネルの中央からオフセットされることを示す、
を備える、装置。
【手続補正２】
【補正対象書類名】明細書
【補正対象項目名】０１７５
【補正方法】変更
【補正の内容】
【０１７５】
[0183]  ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。このことから、本開示は、ここに説明された例および設計に限定されず、ここに開示された原理および新規の特徴と一致する最も広い範囲が付与されるべきである。
以下に本願発明の当初の特許請求の範囲に記載された発明を付記する。
［Ｃ１］
ワイヤレス通信のための方法であって、
チャネルの複数のリソースブロックに関連付けられたチャネルラスタを識別することと、前記複数のリソースブロックは、前記チャネルラスタに対して非対称関係を有する、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成することと、
前記リソースブロックオフセットメトリックの前記インジケーションを伝達するために、前記メッセージを送信することと
を備える、方法。
［Ｃ２］
前記チャネルは、アップリンクチャネル、ダウンリンクチャネル、またはそれらの組み合わせのうちの少なくとも１つに関連付けられる、
Ｃ１に記載の方法。
［Ｃ３］
前記メッセージは、ブロードキャストメッセージ、ユーザ機器（ＵＥ）固有メッセージ、またはそれらの組み合わせのうちの少なくとも１つを備える、
Ｃ１に記載の方法。
［Ｃ４］
前記第１のリソースブロックと前記チャネルラスタとの間のオフセット距離を、前記非対称関係に少なくとも部分的に基づいて識別すること、ここにおいて、前記ロケーション情報は、前記オフセット距離を備える、
をさらに備える、Ｃ１に記載の方法。
［Ｃ５］
前記オフセット距離は、周波数オフセットまたはリソースブロックカウントオフセットのうちの少なくとも１つを備える、
Ｃ４に記載の方法。
［Ｃ６］
前記第１のリソースブロックに関連付けられた周波数を、前記非対称関係に少なくとも部分的に基づいて識別すること、ここにおいて、前記ロケーション情報は、前記周波数を備える、
をさらに備える、Ｃ１に記載の方法。
［Ｃ７］
前記複数のリソースブロックに関連付けられたリソースブロックカウントを、前記非対称関係に少なくとも部分的に基づいて識別すること、ここにおいて、前記ロケーション情報は、前記リソースブロックカウントを備える、
をさらに備える、Ｃ６に記載の方法。
［Ｃ８］
ユーザ機器（ＵＥ）能力を識別することと、
前記ＵＥ能力に少なくとも部分的に基づいて、前記チャネルラスタを識別することと
をさらに備える、Ｃ１に記載の方法。
［Ｃ９］
前記リソースブロックオフセットメトリックの前記インジケーションを伝達するために、シグナリングスキームを前記ＵＥ能力に少なくとも部分的に基づいて選択すること
をさらに備える、Ｃ８に記載の方法。
［Ｃ１０］
前記複数のリソースブロック中の１つまたは複数の未使用のリソースブロックを識別することと、
前記１つまたは複数の未使用のリソースブロックに関連付けられたロケーションパラメータを示すように、前記メッセージを前記１つまたは複数の未使用のリソースブロックに少なくとも部分的に基づいて構成することと
をさらに備える、Ｃ１に記載の方法。
［Ｃ１１］
前記ロケーションパラメータは、連続するリソースブロックに関連付けられたリソースブロックカウントおよび前記第１のリソースブロック、前記１つまたは複数の未使用のリソースブロックに関連付けられた識別子、またはそれらの組み合わせうちの少なくとも１つを備える、
Ｃ１０に記載の方法。
［Ｃ１２］
前記１つまたは複数の未使用のリソースブロックの各々は、所定の数の割り振られていないリソース要素を有するリソースブロックを備える、
Ｃ１０に記載の方法。
［Ｃ１３］
帯域の第１のチャネルと第２のチャネルとの間の同期ラスタオフセットを識別することと、前記第１のチャネルおよび前記第２のチャネルは、共通リソースブロックグリッドを共有する、
前記同期ラスタオフセット間にある前記共通リソースブロックグリッドの各リソースブロックエントリ上で同期信号を送信することと
をさらに備える、Ｃ１に記載の方法。
［Ｃ１４］
前記同期ラスタオフセットは、９００ＫＨｚラスタオフセットを備え、および各リソースブロックエントリは、１００ＫＨｚ刻みでロケートされる、
Ｃ１３に記載の方法。
［Ｃ１５］
帯域の第１のチャネルと第２のチャネルとの間の同期ラスタオフセットを識別することと、前記第１のチャネルおよび前記第２のチャネルは、共通リソースブロックグリッドを共有する、
前記共通リソースブロックグリッド上にある２つのエントリ間にある各チャネルラスタエントリ上で同期信号を送信することと
をさらに備える、Ｃ１に記載の方法。
［Ｃ１６］
ワイヤレス通信のための方法であって、
リソースブロックオフセットメトリックのインジケーションを備えるメッセージを受信することと、
チャネルの複数のリソースブロックに関連付けられたチャネルラスタを、前記リソースブロックオフセットメトリックに少なくとも部分的に基づいて識別することと、前記複数のリソースブロックは、前記チャネルラスタに対して非対称関係を有する、
を備える、方法。
［Ｃ１７］
前記メッセージは、ブロードキャストメッセージ、ユーザ機器（ＵＥ）固有メッセージ、またはそれらの組み合わせのうちの少なくとも１つを備える、
Ｃ１６に記載の方法。
［Ｃ１８］
第１のリソースブロックと前記チャネルラスタとの間のオフセット距離を、前記非対称関係に少なくとも部分的に基づいて識別すること、ここにおいて、前記リソースブロックオフセットメトリックは、前記オフセット距離を備える、
をさらに備える、Ｃ１６に記載の方法。
［Ｃ１９］
前記オフセット距離は、周波数オフセットまたはリソースブロックカウントオフセットのうちの少なくとも１つを備える、
Ｃ１８に記載の方法。
［Ｃ２０］
第１のリソースブロックに関連付けられた周波数を、前記非対称関係に少なくとも部分的に基づいて識別すること、ここにおいて、前記リソースブロックオフセットメトリックは、前記周波数を備える、
をさらに備える、Ｃ１６に記載の方法。
［Ｃ２１］
前記複数のリソースブロックに関連付けられたリソースブロックカウントを、前記非対称関係に少なくとも部分的に基づいて識別すること、ここにおいて、前記リソースブロックオフセットメトリックは、前記リソースブロックカウントを備える、
をさらに備える、Ｃ２０に記載の方法。
［Ｃ２２］
前記複数のリソースブロック中に１つまたは複数の未使用のリソースブロックが存在することを、前記メッセージに少なくとも部分的に基づいて決定することと、
前記１つまたは複数の未使用のリソースブロックに関連付けられたロケーションパラメータを、前記メッセージに少なくとも部分的に基づいて識別することと
をさらに備える、Ｃ１６に記載の方法。
［Ｃ２３］
前記ロケーションパラメータは、連続するリソースブロックに関連付けられたリソースブロックカウントおよび第１のリソースブロック、前記１つまたは複数の未使用のリソースブロックに関連付けられた識別子、またはそれらの組み合わせうちの少なくとも１つを備える、
Ｃ２２に記載の方法。
［Ｃ２４］
前記１つまたは複数の未使用のリソースブロックの各々は、所定の数の割り振られていないリソース要素を有するリソースブロックを備える、
Ｃ２２に記載の方法。
［Ｃ２５］
帯域の第１のチャネルと第２のチャネルとの間の同期ラスタオフセットを、前記メッセージに少なくとも部分的に基づいて識別することと、前記第１のチャネルおよび前記第２のチャネルは、共通リソースブロックグリッドを共有する、
前記同期ラスタオフセット間にある前記共通リソースブロックグリッドの各リソースブロックエントリ上で同期信号についてモニタすることと
をさらに備える、Ｃ１６に記載の方法。
［Ｃ２６］
前記同期ラスタオフセットは、９００ＫＨｚラスタオフセットを備える、
Ｃ２５に記載の方法。
［Ｃ２７］
帯域の第１のチャネルと第２のチャネルとの間の同期ラスタオフセットを、前記メッセージに少なくとも部分的に基づいて識別することと、前記第１のチャネルおよび前記第２のチャネルは、共通リソースブロックグリッドを共有する、
前記共通リソースブロックグリッド上にある２つのエントリ間にある各チャネルラスタエントリ上で同期信号についてモニタすることと
をさらに備える、Ｃ１６に記載の方法。
［Ｃ２８］
ワイヤレス通信のための装置であって、
チャネルの複数のリソースブロックに関連付けられたチャネルラスタを識別するための手段と、前記複数のリソースブロックは、前記チャネルラスタに対して非対称関係を有する、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成するための手段と、
前記リソースブロックオフセットメトリックの前記インジケーションを伝達するために、前記メッセージを送信するための手段と
を備える、装置。
［Ｃ２９］
前記チャネルは、アップリンクチャネル、ダウンリンクチャネル、またはそれらの組み合わせのうちの少なくとも１つに関連付けられる、
Ｃ２８に記載の装置。
［Ｃ３０］
前記メッセージは、ブロードキャストメッセージ、ユーザ機器（ＵＥ）固有メッセージ、またはそれらの組み合わせのうちの少なくとも１つを備える、
Ｃ２８に記載の装置。
［Ｃ３１］
前記第１のリソースブロックと前記チャネルラスタとの間のオフセット距離を、前記非対称関係に少なくとも部分的に基づいて識別するための手段、ここにおいて、前記ロケーション情報は、前記オフセット距離を備える、
をさらに備える、Ｃ２８に記載の装置。
［Ｃ３２］
前記オフセット距離は、周波数オフセットまたはリソースブロックカウントオフセットのうちの少なくとも１つを備える、
Ｃ３１に記載の装置。
［Ｃ３３］
前記第１のリソースブロックに関連付けられた周波数を、前記非対称関係に少なくとも部分的に基づいて識別するための手段、ここにおいて、前記ロケーション情報は、前記周波数を備える、
をさらに備える、Ｃ２８に記載の装置。
［Ｃ３４］
前記複数のリソースブロックに関連付けられたリソースブロックカウントを、前記非対称関係に少なくとも部分的に基づいて識別するための手段、ここにおいて、前記ロケーション情報は、前記リソースブロックカウントを備える、
をさらに備える、Ｃ３３に記載の装置。
［Ｃ３５］
ユーザ機器（ＵＥ）能力を識別するための手段と、
前記ＵＥ能力に少なくとも部分的に基づいて、前記チャネルラスタを識別するための手段と
をさらに備える、Ｃ２８に記載の装置。
［Ｃ３６］
前記リソースブロックオフセットメトリックの前記インジケーションを伝達するために、シグナリングスキームを前記ＵＥ能力に少なくとも部分的に基づいて選択するための手段
をさらに備える、Ｃ３５に記載の装置。
［Ｃ３７］
前記複数のリソースブロック中の１つまたは複数の未使用のリソースブロックを識別するための手段と、
前記１つまたは複数の未使用のリソースブロックに関連付けられたロケーションパラメータを示すように、前記メッセージを前記１つまたは複数の未使用のリソースブロックに少なくとも部分的に基づいて構成するための手段と
をさらに備える、Ｃ２８に記載の装置。
［Ｃ３８］
前記ロケーションパラメータは、連続するリソースブロックに関連付けられたリソースブロックカウントおよび前記第１のリソースブロック、前記１つまたは複数の未使用のリソースブロックに関連付けられた識別子、またはそれらの組み合わせうちの少なくとも１つを備える、
Ｃ３７に記載の装置。
［Ｃ３９］
前記１つまたは複数の未使用のリソースブロックの各々は、所定の数の割り振られていないリソース要素を有するリソースブロックを備える、
Ｃ３７に記載の装置。
［Ｃ４０］
帯域の第１のチャネルと第２のチャネルとの間の同期ラスタオフセットを識別するための手段と、前記第１のチャネルおよび前記第２のチャネルは、共通リソースブロックグリッドを共有する、
前記同期ラスタオフセット間にある前記共通リソースブロックグリッドの各リソースブロックエントリ上で同期信号を送信するための手段と
をさらに備える、Ｃ２８に記載の装置。
［Ｃ４１］
前記同期ラスタオフセットは、９００ＫＨｚラスタオフセットを備え、および各リソースブロックエントリは、１００ＫＨｚ刻みでロケートされる、
Ｃ４０に記載の装置。
［Ｃ４２］
帯域の第１のチャネルと第２のチャネルとの間の同期ラスタオフセットを識別するための手段と、前記第１のチャネルおよび前記第２のチャネルは、共通リソースブロックグリッドを共有する、
前記共通リソースブロックグリッド上にある２つのエントリ間にある各チャネルラスタエントリ上で同期信号を送信するための手段と
をさらに備える、Ｃ２８に記載の装置。
［Ｃ４３］
ワイヤレス通信のための装置であって、
リソースブロックオフセットメトリックのインジケーションを備えるメッセージを受信するための手段と、
チャネルの複数のリソースブロックに関連付けられたチャネルラスタを、前記リソースブロックオフセットメトリックに少なくとも部分的に基づいて識別するための手段と、前記複数のリソースブロックは、前記チャネルラスタに対して非対称関係を有する、
を備える、装置。
［Ｃ４４］
前記メッセージは、ブロードキャストメッセージ、ユーザ機器（ＵＥ）固有メッセージ、またはそれらの組み合わせのうちの少なくとも１つを備える、
Ｃ４３に記載の装置。
［Ｃ４５］
第１のリソースブロックと前記チャネルラスタとの間のオフセット距離を、前記非対称関係に少なくとも部分的に基づいて識別するための手段、ここにおいて、前記リソースブロックオフセットメトリックは、前記オフセット距離を備える、
をさらに備える、Ｃ４３に記載の装置。
［Ｃ４６］
前記オフセット距離は、周波数オフセットまたはリソースブロックカウントオフセットのうちの少なくとも１つを備える、
Ｃ４５に記載の装置。
［Ｃ４７］
第１のリソースブロックに関連付けられた周波数を、前記非対称関係に少なくとも部分的に基づいて識別するための手段、ここにおいて、前記リソースブロックオフセットメトリックは、前記周波数を備える、
をさらに備える、Ｃ４３に記載の装置。
［Ｃ４８］
前記複数のリソースブロックに関連付けられたリソースブロックカウントを、前記非対称関係に少なくとも部分的に基づいて識別するための手段、ここにおいて、前記リソースブロックオフセットメトリックは、前記リソースブロックカウントを備える、
をさらに備える、Ｃ４７に記載の装置。
［Ｃ４９］
前記複数のリソースブロック中に１つまたは複数の未使用のリソースブロックが存在することを、前記メッセージに少なくとも部分的に基づいて決定するための手段と、
前記１つまたは複数の未使用のリソースブロックに関連付けられたロケーションパラメータを、前記メッセージに少なくとも部分的に基づいて識別するための手段と
をさらに備える、Ｃ４３に記載の装置。
［Ｃ５０］
前記ロケーションパラメータは、連続するリソースブロックに関連付けられたリソースブロックカウントおよび第１のリソースブロック、前記１つまたは複数の未使用のリソースブロックに関連付けられた識別子、またはそれらの組み合わせうちの少なくとも１つを備える、
Ｃ４９に記載の装置。
［Ｃ５１］
前記１つまたは複数の未使用のリソースブロックの各々は、所定の数の割り振られていないリソース要素を有するリソースブロックを備える、
Ｃ４９に記載の装置。
［Ｃ５２］
帯域の第１のチャネルと第２のチャネルとの間の同期ラスタオフセットを、前記メッセージに少なくとも部分的に基づいて識別するための手段と、前記第１のチャネルおよび前記第２のチャネルは、共通リソースブロックグリッドを共有する、
前記同期ラスタオフセット間にある前記共通リソースブロックグリッドの各リソースブロックエントリ上で同期信号についてモニタするための手段と
をさらに備える、Ｃ４３に記載の装置。
［Ｃ５３］
前記同期ラスタオフセットは、９００ＫＨｚラスタオフセットを備える、
Ｃ５２に記載の装置。
［Ｃ５４］
帯域の第１のチャネルと第２のチャネルとの間の同期ラスタオフセットを、前記メッセージに少なくとも部分的に基づいて識別するための手段と、前記第１のチャネルおよび前記第２のチャネルは、共通リソースブロックグリッドを共有する、
前記共通リソースブロックグリッド上にある２つのエントリ間にある各チャネルラスタエントリ上で同期信号についてモニタするための手段と
をさらに備える、Ｃ４３に記載の装置。